(57)【要約】【課題】授乳のために乳房を露出可能であって、しかも乳房を確実に保持して位置ずれを防ぐことができる授乳用ブラジャーを提供する。【解決手段】後端部が長さを選択して連結可能な連結部２９Ａ，２９Ｂとされており、両脇部２４，２５が少なくとも横方向に伸縮する伸縮部６０とされ、両脇部２４，２５をつなぐ前側部１５が一体とされて、乳房を収容可能なカップ部２０，２１とされた着用状態において筒状のチューブトップタイプの授乳用ブラジャー１０であって、カップ部２０，２１は伸縮性を有し、その内側には、カップ部２０，２１に下縁１８に沿って、非伸縮性の保持部３０が配置されており、保持部３０の両側縁が両脇部２４，２５に、保持部３０の下縁がカップ部２０，２１に、それぞれ少なくとも一部が縫合されて、保持部３０の上縁が自由端とされている。【選択図】図２
2005187956.tif 000002
【特許請求の範囲】
【請求項１】
後端部が長さを選択して連結可能な連結部とされており、両脇部が少なくとも横方向に伸縮する伸縮部とされ、前記両脇部をつなぐ前側部が一体とされて、乳房を収容可能なカップ部とされた着用状態において筒状のチューブトップタイプの授乳用ブラジャーであって、
前記カップ部は伸縮性を有し、前記カップ部の内側には、前記カップ部に下縁に沿って、非伸縮性の保持部が配置されており、前記保持部の両側縁が前記両脇部に、前記保持部の下縁が前記カップ部に、それぞれ少なくとも一部が縫合されて、前記保持部の上縁が自由端とされていることを特徴とする授乳用ブラジャー。
【請求項２】
前記保持部の略中央部には、上方に向かって突出する延伸部が形成されており、前記延伸部は、左右の前記乳房の間に配置されることを特徴とする請求項１に記載の授乳用ブラジャー。
【請求項３】
前記保持部の両端部は、上方に向かって湾曲するように延伸されており、前記カップ部と前記両脇部の境界近傍には、変形可能なボーンが配置されていることを特徴とする請求項１に記載の授乳用ブラジャー。
【請求項４】
左右の前記カップ部の中央領域には、上下方向に向かって伸縮部が配置されていることを特徴とする請求項１に記載の授乳用ブラジャー。
【発明の詳細な説明】
【技術分野】
【０００１】
本発明は、着用状態において筒状のチューブトップタイプのものであって、授乳可能な授乳用ブラジャーに関する。
【背景技術】
【０００２】
授乳期に用いる授乳用ブラジャーを用いる妊産婦は、授乳する場合には乳房を覆っているカップ部から乳房を露出して、乳児に対して授乳を行う必要がある。
妊産婦は、所謂キャミソール等の着用を希望する等、妊娠前と変わらない服装を選択するよう変化してきており、授乳可能なストラップレスタイプのブラジャーが必要とされてきている。
このようなストラップレスタイプのブラジャーの構造が提案されている（たとえば特許文献１および特許文献２）。
【０００３】
【特許文献１】実開平１−９４４１１号公報（第１頁ないし第２頁、第１図）
【特許文献２】実開昭６０−１３２７３６号公報（第１頁、第１図と第２図）
【発明の開示】
【発明が解決しようとする課題】
【０００４】
ところが、特許文献１および特許文献２に開示されているいわゆるストラップレスタイプのブラジャーは、次のような問題がある。すなわち、ブラジャーから乳房を露出する際に、ブラジャー全体が身体に対して位置ずれを起こす等の現象が生じてしまい、ブラジャーが、露出していない乳房を確実に保持することができない等の問題があった。
このため、より簡単に乳房を露出して授乳可能であって、しかも露出しない乳房を確実に保持して正しい位置を確保して位置ずれを防ぐことができる授乳用ブラジャーが必要とされている。
そこで本発明は上記課題を解消し、授乳のために乳房を露出可能であって、しかも乳房を確実に保持して位置ずれを防ぐことができる授乳用ブラジャーを提供することを目的としている。
【課題を解決するための手段】
【０００５】
上記課題は、第１の発明にあっては、後端部が長さを選択して連結可能な連結部とされており、両脇部が少なくとも横方向に伸縮する伸縮部とされ、前記両脇部をつなぐ前側部が一体とされて、乳房を収容可能なカップ部とされた着用状態において筒状のチューブトップタイプの授乳用ブラジャーであって、前記カップ部は伸縮性を有し、前記カップ部の内側には、前記カップ部に下縁に沿って、非伸縮性の保持部が配置されており、前記保持部の両側縁が前記両脇部に、前記保持部の下縁が前記カップ部に、それぞれ少なくとも一部が縫合されて、前記保持部の上縁が自由端とされていることを特徴とする授乳用ブラジャーにより、達成される。
【０００６】
第１の発明では、非伸縮性の保持部が、カップ部の内側においてカップ部に対して下縁に沿って配置されている。保持部の両端部が両脇部に、そして保持部の下縁がカップ部に、それぞれ少なくとも一部が縫合されている。この保持部の上縁が自由端になっている。
これにより、保持部が形成されていることで、この保持部は乳房を確実に保持して位置ずれを防ぎつつ、授乳用ブラジャーの着用状態を維持することができる。そしてカップ部をめくるだけで、授乳に必要な乳房を露出させることができ、確実に授乳可能である。
このように肩紐を外すことができるか、もしくは肩紐が無いストラップレスタイプのブラジャーであっても、装着した状態を維持しつつ、授乳を行うことができる。
【０００７】
肩紐（ストラップ）が無くても、授乳用ブラジャーを身体に保持するために、後端部で長さ調整を行い、両脇部の伸縮と合わせて身体にフィットさせるだけでなく、カップ部の内側に伸縮性の無い保持部が形成されていることで、カップ部をめくっても授乳用ブラジャーは、確実に着用状態を保持することができる。
保持部の上端がカップ部に固定されていない自由端であるので、カップ部をめくるだけで乳房を簡単に露出することができ、露出した状態でも授乳用ブラジャーが身体に対してずれてしまうことがない。
【０００８】
第２の発明は、第１の発明の構成において、前記保持部の略中央部には、上方に向かって突出する延伸部が形成されており、前記延伸部は、左右の前記乳房の間に配置されることを特徴とする。
第２の発明の構成によれば、保持部の略中央部には、上方に向かって突出する延伸する延伸部が形成されている。この延伸部は、左右の乳房の間に配置される。
これにより、この延伸部が左右の乳房の間に配置されていることから、授乳用ブラジャーの回転方向における位置決めを確実にでき、授乳用ブラジャーが身体に対して回転して位置ずれを起こすことを防げる。そして延伸部が左右の乳房の間にフィットして、左右の乳房の保持を補助することができる。
【０００９】
第３の発明は、第１の発明の構成において、前記保持部の両端部は、上方に向かって湾曲するように延伸されており、前記カップ部と前記両脇部の境界近傍には、変形可能なボーンが配置されていることを特徴とする。
第３の発明では、保持部の上端部は、上方に向かって湾曲するように延伸されている。カップ部と両脇部の境界近傍には、変形可能なボーンが配置されている。
これにより、授乳用ブラジャーは、乳房を両側から確実に支えることができると共に、カップ部を乳房にフィットさせるとともに、カップ部をめくって乳房を露出することができる。
また、このように保持部の両端部を上方に向かって湾曲するように延伸させることにより、例えば保持部とカップ部の間は、母乳を吸収するための母乳パッドを入れるポケットの役割を果たすことができる。
【００１０】
第４の発明は、第１の発明の構成において、左右の前記カップ部の中央領域には、上下方向に向かって伸縮部が配置されていることを特徴とする。
第４の発明では、左右のカップ部の中央領域には、上下方向に向かって伸縮部が配置されている。
これにより、左右の乳房にフィットするようにカップ部を伸縮部を用いて変形させることができる。そして、乳房の大きさが変化した場合であっても、カップ部に対して乳房をフィットさせることができる。
【発明の効果】
【００１１】
以上説明したように、本発明によれば、授乳のために乳房を露出可能であって、しかも乳房を確実に保持して位置ずれを防ぐことが容易になる。
【発明を実施するための最良の形態】
【００１２】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１３】
図１と図２は、本発明の授乳用ブラジャーの好ましい実施形態を示している。
図１は、授乳用ブラジャー１０の表面側を示している。図２は、授乳用ブラジャー１０の裏面側を示している。
図３は、図１における授乳用ブラジャー１０の右側のカップ部２０と左側のカップ部２１におけるＡ−Ａ線における断面構造例を示している。
【００１４】
図４に示す使用者Ｍは妊産婦であり、使用者の左右の乳房１１，１２は、授乳用ブラジャー１０により保持されるようになっている。授乳用ブラジャー１０は、着用状態において筒状のチューブトップタイプの授乳用ブラジャーである。
この授乳用ブラジャー１０は、図１と図２に示すように、右側のカップ部２０と左側のカップ部２１と、右側の後ろ身頃部２４と左側の後ろ身頃部２５と、右側のストラップ部２６と左側のストラップ部２６と、前側部１５と、保持部３０を有している。
まず図４に示すように、右側のカップ部２０と左側のカップ部２１は、それぞれ対応する乳首１１Ａ，１１Ｂを含む乳房１１，１２を下側から支えて収容するようになっている。しかも、右側のカップ部２０と左側のカップ部２１は、それぞれ乳房１１，１２を露出可能に覆うようになっている。
【００１５】
図１の前側部１５は、右側の後ろ身頃部２４と左側の後ろ身頃部２５の間に配置されている。右側の後ろ身頃部２４と左側の後ろ身頃部２５は、それぞれ脇部であり、両脇部を構成している。この両脇部は、少なくとも伸縮方向Ｘに沿って伸縮可能になっている。しかし、後ろ身頃部２４，２５は、伸縮方向Ｘに対して直交する方向にも伸縮可能にしても良い。この伸縮方向Ｘは、後ろ身頃部２４，２５の長手方向であり、使用者の胴回り方向である。
図１に示す前側部１５は、上述したような右側の後ろ身頃部２４と左側の後ろ身頃部２５を繋いで一体的に形成されていて、前側部１５には、上述した右側のカップ部２０と左側のカップ部２１が形成されている。
【００１６】
右側の後ろ身頃部２４の自由端２４Ｄ側には、連結部２９Ａが形成されている。この連結部２９Ａは、複数のフック２４Ａを有している。左側の後ろ身頃部２５の自由端２５Ｄ側には、連結部２９Ｂのループ２５Ａが設けられている。このループ２５Ａは、左側の後ろ身頃部２５の長さ方向（伸縮方向Ｘと平行）に関して例えば５列程度設けられている。各ループ２５Ａは、フック２４Ａの受け部となり、フック２４Ａが、いずれかの列のループ２５Ａに引っ掛かることにより、右側の後ろ身頃部２４と左側の後ろ身頃部２５は連結部２４Ａ，２５Ａにより着脱可能に連結することができると共に、後ろ身頃部２４，２５の長さは、使用者の体型および体型の変化に応じて調整可能になっている。つまり、このループ２５Ａとフック２４Ａは、後ろ身頃部の長さ調整部を構成している。これによって、右側の後ろ身頃部２４と左側の後ろ身頃部２５の各後端部は、長さを選択して連結可能である。
なお、長さ調整部はこのような連結部２９Ａ，２９Ｂによる構成だけでなく、面テープを使用したもの等、長さを調整可能な連結手段ならば、各種連結具を使用することができる。
【００１７】
次に、図１に示す右側のストラップ部２６と左側のストラップ部２６について説明する。
右側のストラップ部２６は、右側のカップ部２０と右側の後ろ身頃部２４を着脱可能に連結するための紐状部材である。同様にして、左側のストラップ部２６は、左側のカップ部２１と左側の後ろ身頃部２５を着脱可能に連結する紐状の部材である。ストラップ部２６，２６は、肩紐等とも呼んでいる。
【００１８】
右側のストラップ部２６の一端部２６Ａは、右側のカップ部２０の上縁２０Ｐに対して連結具１００により着脱可能に連結できるようになっている。右側のストラップ部２６の他端部２６Ｂは、別の連結具１００により、右側の後ろ身頃部２４の自由端２４Ｄ側に対して着脱可能に連結できるようになっている。
左側のストラップ部２６の一端部２６Ａは、左側のカップ部２１の上縁２１Ｐに対して、連結具１００により着脱可能に連結可能になっている。左側のストラップ部２６の他端部２６Ｂは、左側の後ろ身頃部２５の自由端２５Ｄに対して連結具１００により着脱可能に連結できるようになっている。
【００１９】
使用されている連結具１００の構造は同じ構造である。連結具１００は、ループ状の部材１０２と挿入部材１０１から構成されている。この挿入部材１０１は、Ｚカンとも呼ばれている。挿入部材１０１は例えばプラスチックにより作られている。ループ状の部材１０２は、例えば薄い布等を用いて筒状に形成したものであり、ループ状部材１０２は上述したように上縁２０Ｐ，２１Ｐ、自由端２４Ｄの上縁２４Ｅ、自由端２５Ｄの上縁２５Ｅに固定されている。
【００２０】
挿入部材１０１は、ストラップ部２６，２６のそれぞれの一端部と他端部に取り付けられている。挿入部材１０１の挿入部１０５が、ループ状の部材１０２に対して挿入可能になっている。これによって、右側のストラップ部２６は右側のカップ部２０の上縁２０Ｐと右側の後ろ身頃部２４の上縁２４Ｅの間に対して着脱可能に取り付けることができる。同様にして左側のストラップ部２６は、左側のカップ部２１の上縁２１Ｐと自由端２５Ｄの上縁２５Ｅに対して着脱可能に取り付けることができる。
ストラップ部２６，２６は、必要に応じて授乳用ブラジャー１０に対して取り付けて使用することができる。不要な時には、ストラップ部２６，２６は、取り外すことにより、授乳用ブラジャー１０は、着用状態において筒状のチューブトップタイプのブラジャーとして使用することができる。つまり、キャミソール等のストラップ部２６，２６が露出される衣服を着用する場合には、ストラップ部２６，２６を取り外して使用することができ、その他の露出されない衣服を着用する場合には、ストラップ部２６，２６を取り付けてホールド性を高めた状態で使用できる。
【００２１】
次に、図１と図２および図３を参照しながら、右側のカップ部２０と左側のカップ部２１の構造について説明する。
図４（Ａ）は、授乳用ブラジャー１０の使用状態の例を示している。図４（Ａ）では、使用者Ｍは、ストラップ部２６，２６を使用せずに授乳用ブラジャー１０を装着した状態を示している。
右側のカップ部２０は右側の乳房１１を覆っており、左側のカップ部２１は左側の乳房１２を覆うようになっている。
【００２２】
図１と図３に示すように、左右のカップ部２０，２１は各々カップ本体５０を有している。図３に示すようにカップ本体５０はそれぞれ表地（身生地）２００と裏地２０１を有しており、伸縮性を有している。表地２００と裏地２０１の間には、成形パッド２１０が着脱可能に挿入できるようになっている。図３に示すように、裏地２０１の下縁２０１Ａが縫合されており、上縁２０３には、図２に示すように入り口２１５が形成されている。成形パッド２１０は、この入り口２１５を通じて、図３に示すように表地２００と裏地２０１の間に着脱可能に挿入することができる。
成形パッド２１０は、乳房１１，１２の形態を保持するための保形パッドである。
この成形パッド２１０の頂点およびカップ本体５０，５１の頂点は、乳房１１，１２の乳首１１Ａ，１２Ａにほぼ対応する位置である。
【００２３】
次に、図２と図３を参照して、保持部３０について説明する。
保持部３０は、非伸縮性の材料により作られ、保持部３０は伸縮しないのである。
この保持部３０は、図２に示すように肌当接面となる前側部１５の裏面側に設けられている。保持部３０は、右側のカップ部２０と左側のカップ部２１の内側に設けられており、この保持部３０の下部３１０の少なくとも一部は、右側のカップ部２０と左側のカップ部２１の下縁１８に沿って縫合されている。この保持部３０の右側の端部３１１は、右側の後ろ身頃部２４の内端部２４Ｆに対して少なくとも一部が縫合されている。保持部３０の左側の端部３１２は、左側の後ろ身頃部２５の内端部２５Ｆに対して少なくとも一部が縫合されている。
【００２４】
保持部３０の上方側に位置する右側の外端部３１３は、右側のカップ部２０の上縁側に縫合されている。保持部３０の上方側の左側の外端部３１４は、左側のカップ部２１の上縁側に縫合されている。
保持部３０の上縁は、自由端になっている。この保持部３０の上縁は、右側の外端部３１３の一部分と、右側の湾曲部３３１と、延伸部７０と、左側の湾曲部３３２および外端部３１４の一部分により構成されている。この保持部３０の上縁は、図４（Ａ）に示す左右の乳房１１，１２の外側部分と下側部分および乳房１１，１２の中間部分を下側から支えるようになっている。
【００２５】
保持部３０の略中央部には、上方Ｚ１に向かって突出するような延伸部７０が形成されている。この延伸部７０は、左右の乳房１１，１２の間に配置されている。延伸部７０は、右側の湾曲部３３１と左側の湾曲部３３２の間において、上方Ｚ１方向に沿って突出している部分である。
つまり、右側の湾曲部３３１と左側の湾曲部３３２は、延伸部７０と各外端部３１３，３１４によって、上方Ｚ１とは反対方向に凹形状になるように形成されている。右側の湾曲部３３１と左側の湾曲部３３２は、それぞれ右側の乳房１１の下側部分と左側の乳房１２の下側部分を支える。
右側の外端部３１３と左側の外端部３１４は、保持部３０の両端部に相当するが、これらの外端部３１３と３１４は、上方Ｚ１方向に沿って湾曲するように延伸されて形成されている。
【００２６】
右側の外端部３１３と右側の後ろ身頃部２４の内端部２４Ｆの境界近傍には、ボーン３３が上下方向Ｚに沿って配置されている。同様にして、左側の外端部３１４と左側の後ろ身頃部２５の内端部２５Ｆの間には、別のボーン３４が上下方向Ｚに沿って配置されている。これらのボーン３３，３４は、例えばプラスチックにより変形可能に作られており、例えば平板状の部材である。このボーン３３，３４は、骨格部とも呼ぶ。
なお、保持部３０の各外端部３１３，３１４と、各後ろ身頃部２４，２５の各内端部２４Ｆ，２５Ｆは略同等の高さとされており、各ボーン３３，３４は僅かに低く形成されている。
これにより、授乳用ブラジャーは、乳房を両側から確実に支えることができると共に、左右のカップ部は、乳房にフィットすることができる。
またこのように、保持部３０の両端部を上方に向かって湾曲するように延伸させることにより、例えば保持部３０とカップ部２０，２１の間において、母乳を吸収するための母乳パッドと略同等の曲率となり、母乳パッドを入れるためのポケットとして、母乳パッドの吸収を妨げずに確実に保持するポケットの役割を果たすことができる。
【００２７】
図１に示すように、右側のカップ部２０と左側のカップ部２１の間には、伸縮部６０が上下方向Ｚに沿って配置されている。この伸縮部６０は、図３に示す表地２００に対して形成された部分であり、右側のカップ部２０と左側のカップ部２１の間を上下方向Ｚに沿って伸縮可能になっている。
これにより、左右の乳房にフィットするようにカップ部２０，２１を、伸縮部６０を用いて変形させることができる。そして、乳房の大きさが変化した場合であっても、カップ部に対して乳房をフィットさせることができる。しかも、各カップ部２０，２１をめくる際に阻害することなく乳房を露出することができる。
【００２８】
ここで、各構成部材についての材質例について説明する。
図１に示す両脇部に相当する右側の後ろ身頃部２４と左側の後ろ身頃部２５は、例えばパワーネットを採用することができる。この後ろ身頃部２４，２５は、少なくとも伸縮方向Ｘに沿って伸縮可能な材料であれば、その他に例えばサテンネットやストレッチサテン、２ＷＡＹ素材等の伸縮性（ストレッチ）素材により作ることができるが、通気性が高いものであることが好ましい。
【００２９】
授乳用ブラジャー１０の下縁に沿って、平ゴム等の伸縮性を有する長尺状の材料を縫合して下縁１８を作ることができる。
図３に示す表地（身生地）２００および裏地２０１は、ポリエステルとポリウレタンの混紡したものや、ポリアミド（ナイロン）、綿、レーヨン、ポリウレタン等の混紡により作ることができる。図３に示す表地２００と裏地２０１は、伸縮性を有する材料により作られている。
図２と図３に示す保持部３０は、不織布や、トリコット、ラッセル素材等の非伸縮性の材質のものにより作ることができる。
ボーン３３，３４は、例えば平板状のプラスチック材により作ることができる。
【００３０】
次に、授乳用ブラジャー１０の使用形態の一例について説明する。
図４（Ａ）は、使用者Ｍが授乳用ブラジャー１０を着用した状態を示している。図４（Ｂ）は、例えば左側の乳房１２を露出した授乳状態を示している。
図４（Ａ）とは異なり、使用者Ｍは、必要に応じて右側のストラップ部２６と左側のストラップ部２６を取り付けて着用することもできる。
【００３１】
図４（Ａ）に示すように、授乳用ブラジャー１０の右側のカップ部２０と左側のカップ部２１が、それぞれ左右の乳房１１，１２を覆った状態を保つために、図１に示す後ろ身頃部２４，２５が、連結部２９Ａ，２９Ｂを用いて必要な長さに調整した状態で連結されている。また、各後ろ身頃部が最も大きな伸縮性を有している為、伸縮方向Ｘに伸ばされた状態から引き戻る力によって確実に保持されている。これらによって、右側のカップ部２０と左側のカップ部２１は、それぞれ乳房１１，１２を所定の保持力により確実に保持することができる。
そして、保持部３０が形成されていることで、この保持部３０は乳房１１，１２を確実に保持しつつ授乳用ブラジャー１０の着用状態を維持することができる。そしてカップ部をめくるだけで、授乳に必要な乳房を露出させることができ、確実に授乳可能である。このように、肩紐を外すことができるかもしくは肩紐が無いストラップレスタイプのブラジャーであっても、装着した状態を維持しつつ、授乳を行うことができる。
【００３２】
肩紐（ストラップ）が無くても、授乳用ブラジャー１０を身体に保持するために、後端部の長さ調整と、両脇部の伸縮だけでなく、カップ部の内側に伸縮性の無い保持部３０が形成されていることで、授乳用ブラジャーは、確実に着用状態を保持することができる。
保持部３０の上端がカップ部に固定されていない自由端であるので、カップ部をめくるだけで乳房を簡単に露出することができ、露出した状態でも授乳用ブラジャーが身体に対してずれてしまうことがない。
【００３３】
延伸部７０が左右の乳房の間に配置されていることから、授乳用ブラジャーの回転方向における位置決めを確実にでき、授乳用ブラジャーが身体に対して回転して位置ずれを起こすことを防げる。そして延伸部７０が左右の乳房の間にフィットして、左右の乳房の保持を補助することができる。
これにより、授乳用ブラジャーは、乳房を両側から確実に支えることができると共に、乳房にフィットすることができる。
【００３４】
左右の乳房にフィットするようにカップ部を伸縮部を用いて変形させることができる。そして、乳房の大きさが変化した場合であっても、カップ部に対して乳房をフィットさせることができる。
【００３５】
図４（Ｂ）に示すように、例えば左側の乳房１２を露出させて授乳を行う場合には、図４（Ａ）の左側のカップ部２１を使用者Ｍが手でＲ方向にめくることにより、簡単に乳房１２を露出させることができる。この場合に、保持部３０が乳房１１，１２の下側および外側と内側を下側から支えていることから、右側のカップ部２０は右側の乳房１１を露出しないで確実に覆って保持することができる。
授乳が済むと、再び図４（Ｂ）に示すＲ１方向に左側のカップ部２１を戻せば、左側の乳房１２は左側のカップ部２１により確実に覆うことができる。
右側の乳房１１により授乳を行う場合には、上述したように同じ要領で右側のカップ部２０をＲ方向にめくれば良い。
【００３６】
図１に一点鎖線で示すように、必要に応じてストラップ部２６，２６を用いて、授乳用ブラジャー１０を支えても良い。しかし、例えば使用者Ｍがキャミソール等を着る場合には、ストラップ部２６，２６を取り外して、授乳用ブラジャー１０を図４（Ａ）に示すように、乳房１１，１２を確実に覆って保持することができる。
【００３７】
本発明は上述の実施の形態に限定されるものではない。
例えば右側のカップ部２０と左側のカップ部２１は、上述のように積層構造になっていて、その中には成形パッド（保形パッドとも言う）が着脱自在になっている。このカップ部２０，２１の内側は、図３に示す保持部３０と裏地２０１と乳房１１，１２の間において母乳パッドを入れるポケット部としての機能も果たすことができる。この母乳パッドは、乳房１１，１２から漏れてくる母乳を吸収するためのパッドである。
【００３８】
図１に示す右側の後ろ身頃部２４と左側の後ろ身頃部２５は、共にメッシュ状に形成されていても良い。このように右側の後ろ身頃部２４と左側の後ろ身頃部２５がメッシュ状もしくはその他の多数の穴を有する形状にすることにより、通気性を確保することができる。
【００３９】
右側のカップ部２０と左側のカップ部２１は、図３に示すような内部に成形パッド２１０を入れるのではなく、カップ部２０，２１自体がモールドカップ（成形カップ）等のカップ状に構成しても良い。つまり右側のカップ部２０と左側のカップ部２１は共に成形カップを連ねて接続することにより構成することもできる。
本発明の授乳用ブラジャーは、バストホルダー、ハーフトップ、チューブトップ、サポーターと呼ばれるものも含んでいる。
【００４０】
図１に示す授乳用ブラジャー１０は、その中央部に伸縮部６０を有しているが、この伸縮部６０は、図示例では所謂ギャザー形状になっている。しかしその他の形状、例えば中央部が弾性変形可能な帯状の部材により伸縮部６０を構成しても良い。
本発明は、上記実施形態に限定されず、特許請求の範囲を逸脱しない範囲で種々の変更を行うことができる。
上記実施形態の各構成は、その一部を省略したり、上記とは異なるように任意に組み合わせることができる。
【図面の簡単な説明】
【００４１】
【図１】本発明の授乳用ブラジャーの好ましい実施形態を示しており、授乳用ブラジャーの表面側を示す図。
【図２】図１の授乳用ブラジャーの裏面側を示す図。
【図３】図１の授乳用ブラジャーのＡ−Ａ線における断面構造例を示す図。
【図４】使用者が授乳用ブラジャーを装着した状態の例を示す図。
【符号の説明】
【００４２】
１０・・・授乳用ブラジャー、１５・・・前側部、１８・・・下縁、２０・・・右側のカップ部、２１・・・左側のカップ部、２４・・・右側の後ろ身頃部（両脇部の一方）、２５・・・左側の後ろ身頃部（両脇部の他方）、２９Ａ，２９Ｂ・・・連結部、３０・・・保持部、３３・・・ボーン、６０・・・伸縮部、７０・・・延伸部、３３１・・・湾曲部
【図１】
2005187956.tif 000003
【図２】
2005187956.tif 000004
【図３】
2005187956.tif 000005
【図４】
2005187956.tif 000006